(57)【要約】【課題】擬似的な立体感を出す積層装飾部と、実際の立体構造を有する複数の装飾物を重ねて配設して、遊技者を飽きさせない奥行のある立体感を演出し、遊技に対する興趣を持続的に向上させる遊技機とする。【解決手段】遊技機１０において、遊技盤３０の表面３０ａの一部に、その表面と面一となるように設けられた透明窓１１０と、透明窓が設けられた位置における遊技盤の裏面３０ｂ側に、遊技盤の表面と平行に配設された平面部１３０と、平面部に設けられ、遊技盤に近い側から順に、透明な保護層１４１と、着色により装飾が描かれる装飾層１４２と、遊技者側から入射し、保護層及び装飾層を透過した光を反射する金属製の反射層１４６とが積層配置された積層装飾部１４０と、積層装飾部を有する平面部と透明窓の間の、遊技盤の表面との直交する方向における異なる位置に複数配設された装飾物１５１〜１５４と、を有する。【選択図】図５
2013085918.tif 000002
【特許請求の範囲】
【請求項１】
遊技盤の表面の一部に、該遊技盤の表面と面一となるように設けられた透明窓と、
該透明窓が設けられた位置における前記遊技盤の裏面側に、前記遊技盤の表面と平行に配設された平面部と、
前記平面部に設けられ、前記遊技盤に近い側から順に、透明な保護層と、着色により装飾が描かれる装飾層と、遊技者側から入射し、前記保護層及び装飾層を透過した光を反射する金属製の反射層とが積層配置された積層装飾部と、
前記積層装飾部を有する前記平面部と前記透明窓の間の、前記遊技盤の表面と直交する方向における異なる位置に複数配設された装飾物と、
を有することを特徴とする遊技機。
【発明の詳細な説明】
【技術分野】
【０００１】
本発明は遊技機に関し、特に、遊技盤の少なくとも一部に、擬似的な立体感を出す構成を有する遊技機に関するものである。
【背景技術】
【０００２】
従来、パチンコ遊技機等の遊技機においては、その遊技盤の一部又は全面に、その表面を輝かせて煌びやかに見せることで、擬似的な立体感を出す化粧シートが配設されているものがあり、その視覚的効果により、遊技に対する興趣を向上させるものがある（例えば、特許文献１，２参照）。
【先行技術文献】
【特許文献】
【０００３】
【特許文献１】特開２０００−１０７３６４号公報
【特許文献２】特開２０１０−１５８３７８号公報
【発明の概要】
【発明が解決しようとする課題】
【０００４】
しかしながら、前記した特許文献１，２に示すような遊技機では、遊技盤に配設された化粧シートの視覚的効果によって、擬似的な立体感を出すことはできるが、あくまで擬似的なものであるため、遊技者が当該化粧シートの視覚的効果に慣れてしまうと、立体感を感じ難くなる虞があり、当該視覚的効果による遊技に対する興趣を持続的に向上させることが難しい、という問題があった。
【０００５】
本発明は、このような事情に鑑みてなされたものであり、遊技盤の一部に、擬似的な立体感を出す積層装飾部と、実際の立体構造を有する複数の装飾物を重ねて配設した奥行のある構成を有することで、その視覚的効果によって遊技者を飽きさせない奥行のある立体感を演出することができ、その結果、遊技に対する興趣を持続的に向上させることができる遊技機を提供することを目的とする。
【課題を解決するための手段】
【０００６】
かかる課題を解決するために、本発明の請求項１に記載の発明は、遊技盤の表面の一部に、該遊技盤の表面と面一となるように設けられた透明窓と、該透明窓が設けられた位置における前記遊技盤の裏面側に、前記遊技盤の表面と平行に配設された平面部と、前記平面部に設けられ、前記遊技盤に近い側から順に、透明な保護層と、着色により装飾が描かれる装飾層と、遊技者側から入射し、前記保護層及び装飾層を透過した光を反射する金属製の反射層とが積層配置された積層装飾部と、前記積層装飾部を有する前記平面部と前記透明窓の間の、前記遊技盤の表面と直交する方向における異なる位置に複数配設された装飾物と、を有する遊技機としたことを特徴とする。
【０００７】
請求項１に係る発明によれば、擬似的な立体感を出す積層装飾部と、実際の立体構造を有する複数の装飾物を重ねて配設した奥行のある構成を有する装飾凹部を備えたことで、その視覚的効果によって遊技者を飽きさせない奥行のある立体感を演出することができ、その結果、遊技に対する興趣を持続的に向上させることができる遊技機とすることができる。
【図面の簡単な説明】
【０００８】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】図３の装飾凹部を拡大して概略化した斜視図である。
【図５】図３の装飾凹部を拡大して概略化した平面図である。
【図６】同パチンコ遊技機の積層装飾部の拡大断面図である。
【発明を実施するための形態】
【０００９】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１０】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物４１（後述）及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１１】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１２】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１３】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１４】
上述の遊技盤３０は、前枠１２の後面に装着されている。以下、この遊技盤３０及び遊技盤３０に備えられる各構成部材について図３〜図６を参照して詳細に説明する。図３は、本発明の実施の形態における遊技盤３０の正面図であり、図４は、図３の装飾凹部を拡大して概略化した斜視図であり、図５は、図３の装飾凹部を拡大して概略化した平面図であり、図６は、同パチンコ遊技機の積層装飾部の拡大断面図である。この遊技盤３０は、上述のように前枠１２の後面に装着されており、窓枠１３の透明板１７ａに前方から覆われている。
【００１５】
遊技盤３０は、その盤面等に各構成部材を固定する板状の部材であり、木製又は樹脂製のものである。ガイドレール３２は、この遊技盤３０の前記透明板１７ａと対向する表面側の盤面に固定されて、この遊技盤３０上に、パチンコ球の発射通路３１ａと、発射されたパチンコ球が転動しながら流下する遊技領域３１ｂとを区画形成する。遊技盤３０における遊技領域３１ｂのほぼ中央部には、当該遊技盤３０に貫設された開口部３８が形成されている。この開口部３８の周縁には、センター装飾部材４０が付設されている。また、センター装飾部材４０には、開口部３８の下部を覆うように、ステージ５０が形成されている。
【００１６】
また、遊技領域３１ｂにおいては、遊技盤３０に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００１７】
また、遊技領域３１ｂにおける遊技盤３０の盤面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００１８】
また、遊技盤３０に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００１９】
また、遊技領域３１ｂ内において、演出表示装置３７の下方には、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２０】
また、遊技領域３１ｂ内において、演出表示装置３７の右下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２１】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ５０に誘導されるようになっている。
【００２２】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２３】
また、演出表示装置３７の下部前方には、可動役物４１が配置されている。この可動役物４１は、演出表示装置３７とステージ５０の間に設けられる収容空間に収容されている。
【００２４】
また、遊技盤３０の遊技者側に位置する表面３０ａの一部には、図４及び図５に示すような立体形状を有する装飾凹部１００が、その前面部が遊技盤３０の表面３０ａと面一となるように配設されている。本実施の形態では、遊技盤３０の表面３０ａにおける始動入賞口３３の下方に孔（図示省略）が形成されており、この孔に装飾凹部１００が配設されている。この装飾凹部１００は、図６に示すような擬似的な３Ｄの立体感を出す積層装飾部１４０と、図４及び図５に示すような実際の立体構造を有する複数の装飾物１５１，１５２，１５３，１５４とを有しており、これらを組み合わせて重ねた状態に配設していることで、その視覚的効果によって遊技者を飽きさせない奥行のある立体感を演出することができ、その結果、遊技に対する興趣を向上させることができるものである。
【００２５】
以下、本実施の形態における装飾凹部１００について、図４〜図６を参照して詳細に説明する。本実施の形態における装飾凹部１００は、透明窓１１０，凹部１２０，平面部１３０，積層装飾部１４０，装飾物１５１〜１５４等を有する構成となっている。
【００２６】
このうち、透明窓１１０は、遊技盤３０における始動入賞口３３の下方の表面３０ａに形成された孔に丁度嵌るように構成された無色透明のプラスチック等の窓であり、遊技盤３０の遊技者側に位置する表面３０ａと面一となって、当該透明窓１１０の前面をパチンコ球が転動可能となるように、遊技盤３０の表面３０ａに配設されている。そして、この透明窓１１０を介して、遊技盤３０の表面３０ａ側から、装飾凹部１００の内部を視認することが可能となっている。なお、透明窓１１０としては、無色透明のものに限るわけではなく、内部が視認可能であれば有色透明のものでも良い。また、透明窓１１０の形状は、図４及び図５では便宜上、方形状となっているが、これに限るものではなく、遊技盤３０の形状等に合わせた適宜の形状となっていれば良い。
【００２７】
また、凹部１２０は、透明窓１１０が設けられた位置における遊技盤３０の裏面３０ｂ側に配設されたものであり、この内部に、後述する積層装飾部１４０や装飾物１５１〜１５４が配設されるようになっている。また、本実施の形態の凹部１２０は、直方体形の箱状に構成されている。そして、この凹部１２０は、遊技盤３０と面一に取り付けられた透明窓１１０によって、遊技盤３０の表面３０ａ側と隔離され、パチンコ球等が入らない隔離空間となっている。
【００２８】
また、凹部１２０のうち、透明窓１１０が設けられた位置における遊技盤３０から裏面３０ｂ側に最も離れた位置（最も奥側の位置）に、平面形状に形成された平面部１３０が配設されている。この平面部１３０には、遊技盤３０の表面３０ａと平行になる面が遊技盤３０の表面３０ａ側（遊技者側）に形成されており、ここに後述する積層装飾部１４０が設けられている。
【００２９】
また、積層装飾部１４０は、平面部１３０の遊技盤３０の表面３０ａと平行になる面に設けられており、遊技盤３０に近い側（遊技者側）から順に、透明な保護層１４１、着色により装飾が描かれた装飾層１４２、遊技盤３０の表面３０ａ側（遊技者側）から入射して保護層１４１及び装飾層１４２を透過した光を反射する金属製の反射層１４６とが積層配置されるようになっている。さらに詳述すると、本実施の形態の積層装飾部１４０は、平面部１３０に貼り付けられるシート状に構成されており、図６に示すように、遊技者側から順に保護層１４１，装飾層１４２，下地層１４３，接着層１４４，レンズ層１４５，反射層１４６，接着層１４７及び台板１４８が積層されて構成されている。
【００３０】
保護層１４１は、光学的に透明な樹脂製のシートであり、積層装飾部１４０の表面（前面）を保護するためのものである。保護層１４１の材質としては、セルロイド，セルロースアセテートブチレート樹脂等が用いられる。
【００３１】
装飾層１４２は、着色インクにより文字，キャラクタ，背景画等の装飾が描かれる層である。印刷方法としては、ＵＶオフセット印刷やグラビア印刷等によるドット印刷を用い、保護層１４１の後面（裏面）に装飾を印刷する。また、当該印刷は、Ｃ（シアン），Ｍ（マゼンダ），Ｙ（イエロー）及びＫ（スミ）の４色印刷（無着色の領域を含んでも良い）であり、インク材料としては、各種樹脂からなるベヒクルに染料，顔料等の着色剤を加え、必要に応じて溶剤，安定剤，硬化剤等を適宜混合したものが用いられる。
【００３２】
下地層１４３は、白色に着色された遮光性を有する層である。下地層１４３は、装飾層１４２に描かれる文字やキャラクタ等の下地となる（下地層１４３による白い下地の上に文字やキャラクタ等を載せることで、当該文字等を際立たせる）。下地層１４３は、正面から見て積層装飾部１４０の一部のみに形成される。印刷方法としては、スクリーン印刷（遮光のための厚塗りに適した印刷方法）が用いられ、インク材料としては、各種樹脂からなるベヒクルに白色染料、白色無機顔料等の着色剤に加え、必要に応じて溶剤，安定剤，硬化剤等を適宜混合したものが用いられる。
【００３３】
なお、下地層１４３は白色に限るものではなく、他の色（例えば、黒色等）であっても良い。例えば、装飾層１４２に描かれる文字やキャラクタ等の主となる色が黄色である場合、下地層１４３を黒色とする方が当該文字やキャラクタ等の画像が映えることになる。
【００３４】
接着層１４４は、下地層１４３（下地層１４３が存在しない領域においては装飾層１４２）の後面（裏面）に後述するレンズ層１４５を接着するための層である。透明な樹脂製の接着剤を下地層１４３（下地層１４３が存在しない領域においては装飾層１４２）の後面（裏面）に塗布することにより、接着層１４４が形成される。
【００３５】
レンズ層１４５は、正面から見て小型のレンズが行列状に並ぶように形成されたものである。レンズ層１４５は、透明な樹脂（例えばＰＥＴ等）により形成される。なお、レンズ層１４５のレンズは、小形のレンズが行列状に多数配列されたものだけでなく、１つの大きなレンズが配置されたものであっても良い。
【００３６】
反射層１４６は、遊技者側（前方）から積層装飾部１４０に入射する光（例えば、ホールの照明光や向かい合うパチンコ遊技機１０の発光演出による光等）を反射させるための層である。反射層１４６は、表面（前面）に光沢を有する金属の層であり、金属としてはアルミニウム，銀，金等を用いることが可能である。反射層１４６は、金属を薄く打ち延ばした金属泊だけでなく、当該金属泊を紙やプラスチック等のいシートに貼着したものを用いることも可能である。また、光を反射することができるのであれば、当該金属泊の表面に塗料を塗布して着色することも可能である。
【００３７】
接着層１４７は、反射層１４６の後面（裏面）に後述する台板１４８を接着するための層である。透明な樹脂製の接着剤を反射層１４６の後面（裏面）に塗布することにより、接着層１４７が形成される。
【００３８】
台板１４８は、積層装飾部１４０の基台となる薄板（シート）状の部材である。台板１４８は、紙やプラスチック等の種々の素材により形成することが可能である。また、台板１４８の色は限定するものではない。
【００３９】
このように構成された積層装飾部１４０において、正面（前方）から入射した光は、保護層１４１，装飾層１４２，接着層１４４及びレンズ層１４５を透過して反射層１４６で反射され、再び正面（前方）へと放出される。この際、レンズ層１４５を通過することにより、正面から見る遊技者に奥行きのある立体感を感じさせることができる。
【００４０】
また。正面（前方）から入射した光のうち、保護層１４１及び装飾層１４２を透過して下地層１４３に照射された光は、当該下地層１４３において遮光され、反射することがない。このため、装飾層１４２のうち当該下地層１４３に対応する部分にキャラクタ等の装飾を描くことで、当該装飾を際立たせることができる。
【００４１】
なお、積層装飾部１４０としては、本実施の形態のようにシート状に構成されているものの他、平面部１３０に各層の材料が塗布・貼付される等により、平面部１３０で直接積層形成されたものであっても良い。
【００４２】
また、凹部１２０の内部における最奥に位置して積層装飾部１４０を有する平面部１３０と、凹部１２０の内部における最も手前側に位置して遊技盤３０の表面３０ａと面一となる透明窓１１０との間の空間には、複数の装飾物１５１，１５２，１５３，１５４が配設されるようになっている。本実施の形態の装飾物１５１〜１５４は、それぞれ形状の異なる板状の部材で構成されており、遊技者側の面に種々のキャラクタ等の装飾が描かれたものとなっている。また、複数の装飾物１５１〜１５４は、遊技盤３０の表面３０ａと直交する方向（すなわち、遊技者に対向する方向・遊技盤３０の裏面３０ｂ側から表面３０ａ側に向かう方向）における異なる位置に、複数の層を形成するように配設されている。
【００４３】
本実施の形態では、遊技者側（遊技盤３０の表面３０ａ側）から順に、Ａ層、Ｂ層、Ｃ層という３つの層が設けられており、各層に少なくとも１つの装飾物が配設されるように構成されている。具体的には、本実施の形態では、Ａ層には装飾物１５１が配設されており、Ｂ層には装飾物１５２が配設されており、Ｃ層には装飾物１５３，１５４の２つが配設されるようになっている。また、このとき、装飾物１５１〜１５４同士が完全には重ならずに遊技者側から視認可能となるように、遊技盤３０の横方向にずらしたり、高さを変えたりして配設されている。さらに、装飾物１５１〜１５４の後方に位置する積層装飾部１４０の擬似的な立体感を有する装飾が、装飾物１５１〜１５４によって完全に隠れることがないように、装飾物１５１〜１５４が配設されている。そして、このようにそれぞれの状態を考慮して配設された積層装飾部１４０及び装飾物１５１〜１５４によって、遊技者が遊技中に当該装飾凹部１００を見たときに、丁度、装飾物１５１〜１５４と積層装飾部１４０が立体的な１つのオブジェクトに見えるように構成されている。
【００４４】
以上のように、本実施の形態のパチンコ遊技機（遊技機）１０は、遊技盤３０の表面３０ａの一部に、該遊技盤３０の表面３０ａと面一となるように設けられた透明窓１１０と、該透明窓１１０が設けられた位置における前記遊技盤３０の裏面３０ｂ側に配設され、前記透明窓１１０によって前記遊技盤３０の表面３０ａ側と隔離された凹部１２０と、を有する装飾凹部１００を備え、前記凹部１２０における前記遊技盤３０から裏面３０ｂ側に最も離れた位置には、前記遊技盤３０の表面３０ａと平行な平面部１３０が配設されており、前記平面部１３０には、前記遊技盤３０に近い側から順に、透明な保護層１４１と、着色により装飾が描かれる装飾層１４２と、遊技者側から入射し、前記保護層１４１及び装飾層１４２を透過した光を反射する金属製の反射層１４６とが積層配置された積層装飾部１４０を有しており、前記凹部１２０における前記積層装飾部１４０を有する前記平面部１３０と前記透明窓１１０の間には、複数の装飾物１５１，１５２，１５３，１５４が、前記遊技盤３０の表面３０ａと直交する方向の異なる位置に、複数層Ａ，Ｂ，Ｃを構成するように配設されているパチンコ遊技機（遊技機）１０としたことを特徴とする。
【００４５】
そして、本実施の形態のパチンコ遊技機（遊技機）１０によれば、擬似的な立体感を出す積層装飾部１４０と、実際の立体構造を有する複数の装飾物１５１，１５２，１５３，１５４を重ねて配設した奥行のある構成を有する装飾凹部１００を備えたことで、その視覚的効果によって遊技者を飽きさせない奥行のある立体感を演出することができ、その結果、遊技に対する興趣を持続的に向上させることができるパチンコ遊技機（遊技機）１０とすることができる。
【００４６】
なお、以上説明した実施の形態は、本発明の理解を容易にするために記載されたものであって、本発明を限定するために記載されたものではない。
【００４７】
例えば、前記した実施の形態では、遊技機としてパチンコ遊技機を挙げて説明したが、本発明はこれに限るものではなく、パチスロ遊技機やアレンジボール等の他の遊技機にも適用可能である。
【００４８】
また、前記した実施の形態では、始動入賞口３３の下方に装飾凹部１００が配設されていたが、本発明はこれに限るものではなく、装飾凹部は、遊技盤の表面の適宜の位置に配設されていれば良い。また、装飾凹部の配設箇所は１箇所に限るものではなく、複数箇所に配設されるようになっていても良い。また、装飾凹部の大きさや形状等についても、配設される遊技盤における位置や遊技盤自体の構成等の条件に応じて、適宜に構成すれば良い。
【００４９】
また、前記した実施の形態では、装飾物１５１，１５２，１５３，１５４が、遊技盤３０の表面３０ａと直交する方向における異なる位置に、３層の立体構造を有するように配設されていたが、本発明はこれに限るものではなく、装飾物が２層の立体構造又は４層以上の立体構造を有するように配設されていても良い。また、装飾物は、必ずしも複数の層を構成する立体構造に配設されていなくても良く、遊技盤の表面と直交する方向における異なる位置に複数の装飾物が配設されていれば、層を構成せずにバラバラの位置に配設されていても良い。
【００５０】
また、前記した実施の形態では、装飾物１５１，１５２，１５３，１５４として、板状の部材を配設するようになっていたが、本発明はこれに限るものではなく、装飾物が板状以外の形状の部材であっても良い。但し、前記した実施の形態のように、複数の装飾物によって複数の層を構成するようにする場合には、板状の部材の方が明確な層を形成し易いという利点がある。また、その他、装飾物の配設位置や数，大きさ，形状等も、装飾凹部が配設される位置や大きさ，形状等の条件に応じて、適宜に構成すれば良い。
【符号の説明】
【００５１】
１０…パチンコ遊技機（遊技機）、３０…遊技盤、１００…装飾凹部、１１０…透明窓、１２０…凹部、１３０…平面部、１４０…積層装飾部、１４１…保護層、１４２…装飾層、１４６…反射層、１５１〜１５４…装飾物
【図１】
2013085918.tif 000003
【図２】
2013085918.tif 000004
【図３】
2013085918.tif 000005
【図４】
2013085918.tif 000006
【図５】
2013085918.tif 000007
【図６】
2013085918.tif 000008